(57)【特許請求の範囲】
【請求項１】
ダイ本体に形成されたマニホールド部からリップ部出口にわたって幅方向の両側に内挿されシート状成形品の幅を調整可能なインナーデッケルと、リップ部を接近離間してシート状成形品の厚みを調整可能な複数のリップ間隔調整具とを具備した押出成形用Ｔダイであって、
少なくともインナーデッケルの樹脂が接する幅規制面の幅調整範囲内にある前記リップ間隔調整具を、リップ部の幅方向に位置調整自在な可動式リップ間隔調整具とし、
前記可動式リップ間隔調整具をインナーデッケルの幅規制面の近傍に位置調整してリップ部を加圧しリップ部をインナーデッケルに密接させるように構成した
押出成形用Ｔダイ。
【請求項２】
可動式リップ間隔調整具に、押し引き駆動可能な出力軸部を設け、
前記出力軸部の先端部に、リップ部の幅方向にスライド自在でかつリップ部を押し引き可能に連結される加圧係合部を設け、
前記加圧係合部は、前記出力軸部の先端部にリップ部を加圧する加圧部が設けられ、リップ部に幅方向に形成された溝部に、係合片がスライド自在かつ前記加圧部側への移動が規制されるように係合され、さらに前記加圧部と前記係合片との間に形成されたテーパー部により前記加圧部と前記係合片と接近可能な締付具が設けられた
請求項１記載の押出成形用Ｔダイ。
【請求項３】
可動式リップ間隔調整具は、ダイ本体にリップ部の幅方向に設けられた支持ガイド部にスライド・固定自在に案内される可動支持体が設けられるとともに、当該可動支持体に出力軸部が設けられ、
前記出力軸部は、入力側の調整駆動軸と出力側の調整従動軸とを具備し、
これら調整駆動軸と調整従動軸との間に、調整駆動軸の出退量を調整従動軸に減少して伝達する見かけピッチ縮小機構を介在させた
請求項１または２記載の押出成形用Ｔダイ。
【発明の詳細な説明】
【技術分野】
【０００１】
本発明は、フィルムやシートなどのシート状成形品を連続して押出成形するＴダイに、シート状成形品の幅を調整可能なインナーデッケル（内挿式幅制限部材）を内挿したものに関する。
【背景技術】
【０００２】
従来、たとえば特許文献１に示されるように、シート状成形品を成形する押出成形用Ｔダイでは、リップ部出口の間隔を微調整するために、たとえば調整駆動用ねじ軸やヒートボルトなどからなるリップ間隔調整具が幅方向に所定間隔毎に設けられている。
【特許文献１】特開２０００−９４４９４（図４，図６）
【発明の開示】
【発明が解決しようとする課題】
【０００３】
ところで、リップ部内にシート状成形品の幅を調整するインナーデッケルを内挿した押出成形用Ｔダイでは、シート状成形品の幅が変更される毎にインナーデッケルが位置調整され、またリップ間隔調整具によりリップ部出口の間隔が微調整されてシート状成形品の厚みが調整される。ここでインナーデッケルが内在される部位では、リップ間隔調整具によりリップ部を加圧してリップ部をインナーデッケルに密接させることにより、リップ部とインナーデッケルとの隙間を無くし、溶融樹脂の浸入を防止している。
【０００４】
しかしながら、従来装置では、リップ間隔調整具が所定間隔ごとに固定されて配置されているため、インナーデッケルの幅規制面（内面）からインナーデッケルが内在される側のリップ間隔調整具との間隔が広いと、幅規制面付近では、インナーデッケルとリップ部の間に隙間が生じたり、またきわめて僅かな隙間であっても樹脂圧により溶融樹脂が浸入することがあり、前記隙間に浸入した樹脂が固結、炭化して成形不能に陥ったり、樹脂漏れして成形不良を生じることがあった。
【０００５】
本発明は上記問題点を解決して、インナーデッケルの幅規制面とリップ部との隙間への樹脂の侵入や隙間からの樹脂漏れを確実に防止できる押出成形用Ｔダイを提供することを目的とする。
【課題を解決するための手段】
【０００６】
請求項１記載の発明は、ダイ本体に形成されたマニホールド部からリップ部出口にわたって幅方向の両側に内挿されシート状成形品の幅を調整可能なインナーデッケルと、リップ部を接近離間してシート状成形品の厚みを調整可能な複数のリップ間隔調整具とを具備した押出成形用Ｔダイであって、少なくともインナーデッケルの樹脂が接する幅規制面の幅調整範囲内にある前記リップ間隔調整具を、リップ部の幅方向に位置調整自在な可動式リップ間隔調整具とし、前記可動式リップ間隔調整具をインナーデッケルの幅規制面の近傍に位置調整してリップ部を加圧しリップ部をインナーデッケルに密接させるように構成したものである。
【０００７】
請求項２記載の発明は、請求項１記載の発明において、可動式リップ間隔調整具に、押し引き駆動可能な出力軸部を設け、前記出力軸部の先端部に、リップ部の幅方向にスライド自在でかつリップ部を押し引き可能に連結される加圧係合部を設け、前記加圧係合部は、前記出力軸部の先端部にリップ部を加圧する加圧部が設けられ、リップ部に幅方向に形成された溝部に、係合片がスライド自在かつ前記加圧部側への移動が規制されるように係合され、さらに前記加圧部と前記係合片との間に形成されたテーパー部により前記加圧部と前記係合片と接近可能な締付具が設けられたものである。
【０００８】
請求項３記載の発明は、請求項１または２記載の発明において、可動式リップ間隔調整具は、ダイ本体にリップ部の幅方向に設けられた支持ガイド部にスライド・固定自在に案内される可動支持体が設けられるとともに、当該可動支持体に出力軸部が設けられ、前記出力軸部は、入力側の調整駆動軸と出力側の調整従動軸とを具備し、これら調整駆動軸と調整従動軸との間に、調整駆動軸の出退量を調整従動軸に減少して伝達する見かけピッチ縮小機構を介在させたものである。
【発明の効果】
【０００９】
請求項１記載の発明によれば、インナーデッケルの位置調整時に、インナーデッケルの幅規制面近傍に可動式リップ間隔調整具を移動させ、前記可動式リップ間隔調整具によりリップ部を加圧してリップ部をインナーデッケルに密接させるので、インナーデッケルの幅規制面でリップ部との間に隙間が生じたり、加圧された溶融樹脂が浸入することがなくなり、樹脂漏れや成形不能、成形不良といった事故を未然に防止することができる。
【００１０】
請求項２記載の発明によれば、締結具を締付けるだけで、テーパー部により加圧部と係合片とでリップ部を挟み込み、出力軸部の押し引き力を確実にリップ部に伝達することができる。また締結具を緩めるだけで、テーパー部を介して加圧部と係合片とを離間自在として、係合片を溝部に沿ってスライドさせ、リップ間隔調整具を容易に位置調整することができる。
【００１１】
請求項３記載の発明によれば、可動式リップ間隔調整具の出力軸部には、調整駆動軸に見かけピッチ縮小機構を介して調整従動軸が設けられるので、リップ部の押し引き駆動による微調整を容易に行うことができ、またインナーデッケルに対するリップ部の加圧力を精度よく調節することができる。
【発明を実施するための最良の形態】
【００１２】
以下、本発明の実施の形態を図面に基づいて説明する。
［実施の形態１］
この押出成形用Ｔダイは、図３，図４に示すように、樹脂押出装置の吐出口に接続されてシートやフイルムなどのシート状成形品を連続成形するもので、ダイ本体１には、樹脂入口２、マニホールド部３、ダイランド部４およびリップ部６が形成され、加圧供給された溶融樹脂が、樹脂入口２からマニホールド部３、ダイランド部４、リップ部６のリップランド部６ａからリップ部出口６ｂに押し出されてシート状成形品Ｓが形成される。
【００１３】
ダイ本体１の左右両側には、マニホールド部３からリップ部出口６ｂにわたって、シート状成形品Ｓの幅を調整可能なインナーデッケル（内挿式幅制限部材）５，５が幅調整具７，７によりリップ部６の幅方向にそれぞれスライド自在に内挿され、左右のインナーデッケル５，５の外側部にそれぞれ支持板８，８が取り付けられている。
【００１４】
前記幅調整具７は、ダイ本体１の左右の外側面に取り付けられた側面板１１に、互いに平行なガイドロッド１２と調整ねじ軸１３とがそれぞれ幅方向に突設され、前記調整ねじ軸１３は軸受を介して側面板１１に回転自在に支持されている。そしてインナーデッケル５の支持板８に形成されたガイド穴８ａにガイドロッド１２がスライド自在に嵌合され、また支持板８に形成されたねじ穴８ｂに調整ねじ軸１３が螺合されている。したがって、調整ねじ軸１３を回転させることにより、ねじ穴８ｂを介して支持板８をガイドロッド１２に沿って移動させて、インナーデッケル５を幅方向に位置調整することができる。
【００１５】
ダイ本体１の上面には、リップ部出口６ｂの間隔を微調整するために本発明に係る複数の（可動式）リップ間隔調整具２１が設けられている。
図１〜図３に示すように、すべてのリップ間隔調整具２１はそれぞれリップ部６の幅方向に位置調整自在な可動式に構成されており、インナーデッケル５の位置調整時に、たとえば図３に示すように、近傍の可動式リップ間隔調整具２１をインナーデッケル５が内在しかつインナーデッケル５の内面（幅規制面）５ａ近傍位置に移動させ、その可動式リップ間隔調整具２１によりリップ部６を加圧してインナーデッケル５に密接させ、インナーデッケル５とリップ部６との隙間を無くして溶融樹脂が浸入しないように構成されている。
【００１６】
すなわち、ダイ本体１の上面には、リップ部６側に折れ曲がるアングル形断面のガイドレール（支持ガイド部）２２がリップ部６の幅方向に形成され、すべての可動式リップ間隔調整具２１は、このガイドレール２２に沿って位置調整自在な可動式に構成されている。各可動式リップ間隔調整具２１は、可動支持体２３と出力軸部２５とを具備し、可動支持体２３には、前記ガイドレール２２にスライド固定自在に嵌合するボス部２４が設けられている。また出力軸部２５は可動支持体２３に内挿されてリップ部６を押し引き駆動可能に構成され、各出力軸部２５には、出力軸部２５をそれぞれリップ部６に幅方向にスライド自在で連結固定可能な加圧係合部２６が設けられている。
【００１７】
前記可動支持体２３には、ボス部２４の上部に固定ボルト２７が貫設され、固定ボルト２７の先端部をガイドレール２２の上面に圧接して可動支持体２３を固定することができる。また前記可動支持体２３の上面に、複数の取付ボルト２８ｂを介してカバー体２８が取り付けられ、可動支持体２３とカバー体２８とに形成された貫通穴２３ａ，２８ａに前記出力軸部２５が貫通配置されている。
【００１８】
前記出力軸部２５は、頭部に手動操作用の六角穴を有する調整駆動軸３１と、先端部に前記加圧係合部２６を有する調整従動軸３３と、前記調整駆動軸３１と調整従動軸３３とを連結する見かけピッチ縮小機構３２とで構成されている。
【００１９】
前記見かけピッチ縮小機構３２は、調整駆動軸３１の基端側に形成されたピッチＰ１の荒い粗雄ねじ部３２ａと、先端側に形成されたピッチＰ２（Ｐ２＜Ｐ１）の細かい密雄ねじ部３２ｂとが形成され、カバー体２８の貫通穴２８ａ内に粗雄ねじ部３２ａが螺合される雌ねじ筒３２ｃが内設されている。そして前記調整従動軸３３の基端部には、前記密雄ねじ部３２ｂが螺合されるねじ穴３２ｄが軸心方向に形成されている。また可動支持体２３の貫通穴２３ａの基端側には、調整従動軸３３を回り止めする角筒穴２３ｂが形成され、調整従動軸３３にはねじ穴３２近傍の外周部に、角筒部２３ｂに回り止めされて嵌合される角筒部３３ａが形成されている。
【００２０】
したがって、前記見かけピッチ縮小機構３２において、調整駆動軸３１を右方向に１回転すると、粗雄ねじ部３２ａにより雌ねじ筒３２ｃを介して調整駆動軸３１がピッチＰ１だけ前進し、また密雄ねじ部３２ｂによりねじ穴３２ｄを介して調整従動軸３３がピッチＰ２だけ後退する。その結果、調整従動軸３３はピッチＰ１−ピッチＰ２の距離だけ進むことになる。したがって、粗雄ねじ部３２ａのピッチＰ１と密雄ねじ部３２ｂのピッチＰ２との差を小さくすることで、調整駆動軸３１の回転により調整従動軸３３をピッチ差（ピッチＰ１−ピッチＰ２）分だけ出退させることができ、これによりリップ部出口６ｂの間隔を微調整することができる。
【００２１】
前記リップ部６の上面には、ガイドレール２２と平行な山形状断面の凸条部４１が形成されており、凸条部４１のガイドレール２２側の傾斜面が出力軸部２５に対して垂直な受圧面４１ａに形成されている。また凸条部４１のリップ部出口６ｂ側の傾斜面４１ｂが出力軸部２５に平行な面に形成され、この傾斜面４１ｂにはガイドレール２２と平行な角溝部（溝部）４２が設けられている。
【００２２】
前記加圧係合部２６は、図２に示すように、調整従動軸３３の先端部に受圧面４１ａに当接してリップ部６を加圧する半球体状の加圧部５１と、前記角溝部４２にスライド自在に嵌合されて基端側および先端側への移動を規制する係合片５２と、加圧部５１と係合片５２とを接近する方向に締め付ける締付ボルト（締付具）５３とを具備している。
【００２３】
すなわち、調整従動軸３３の先端部上面に取付凹部５４が形成され、取付凹部５４の先端側には、先端部から基端奥側に傾斜するテーパー受面（テーパー部）５４ｔが形成されている。また取付凹部５４の底面に締結ボルト５３の取付用のねじ穴５４ａが形成されている。一方、係合片５２は、取付凹部５４に嵌合される本体部５２ａと、この本体部５２ａから先端側に伸びて角溝部４２に嵌合される爪部５２ｂとを有し、本体部５２ａには、締結ボルト５３の挿通穴５２ｃと、テーパー受面５４ｔに当接する締め付け用のテーパー面（テーパー部）５２ｔが形成されている。これにより、締結ボルト５３を挿通穴５２ｃからねじ穴５４ａに嵌合して係合片５２を調整従動軸３３の取付凹部５４に取り付けるとともに、係合片５２の爪部５２ｂを角溝部４２に嵌合すると、本体部５２ａのテーパー面５２ｔが取付凹部５４のテーパー受面５４ｔに摺動自在に当接される。
【００２４】
したがって、締結ボルト５３を締め付けると、テーパー面５２ｔがテーパー受面５４ａに沿って奥側に摺動して爪部５２ｂを基端側に引き上げ、爪部５２ｂと加圧部５１とで凸条部４１を締め付けることができ、調整従動軸３３とリップ部６とを押し引き可能に連結固定することができる。また締結ボルト５３を緩めることで、爪部５２ｂと加圧部５１との間隔を拡大して爪部５２ｂを角溝部４２に沿ってスライドさせることができる。
【００２５】
上記構成において、シート状成形品Ｓの幅が変更されると、まず可動式リップ間隔調整具２１の固定ボルト２７と締付ボルト５３とを緩めるとともに、調整駆動軸３１，３１を緩める。次いで幅調整具７，７によりインナーデッケル５，５をそれぞれ幅方向に接近移動または離間移動してリップ部出口６ｂの幅を調整する。
【００２６】
さらにインナーデッケル５，５の内面５ａ，５ａにそれぞれ対応して、その近傍の可動式リップ間隔調整具２１，２１を、支持ガイド部２２および角溝部４２に沿って移動させてインナーデッケル５，５が内在する内面５ａ，５ａ近傍に位置調整し、固定ボルト２７，２７をそれぞれ締付けて可動式リップ間隔調整具２１，２１を固定する。また必要に応じて近傍の可動式リップ間隔調整具２１を位置調整した後、インナーデッケル５，５の内在されていない位置の可動式リップ間隔調整具２１によりリップ部出口６ｂの間隔を調整する。次いでインナーデッケル５，５の内在位置の可動式リップ間隔調整具２１の出力軸部２５，２５を突出方向に回転して加圧部５１を受圧面４１ａに当接させ、さらに締付ボルト５３，５３を締付けて加圧係合部２６を凸条部４１に連結固定する。そして出力軸部２５，２５をさらに締め付けてリップ部６を加圧し、内面５ａ，５ａ近傍を含むインナーデッケル５，５の表面と裏面とにリップ部６，６を密接させる。
【００２７】
上記実施の形態によれば、インナーデッケル５によるシート状成形品Ｓの幅調整時に、インナーデッケル５の内面５ａ近傍位置でインナーデッケル５の内在位置に可動式リップ間隔調整具２１を移動し、この可動式リップ間隔調整具２１によりリップ部６を加圧して、両リップ部６，６をインナーデッケル５の内面５ａ，５ａ近傍を含む表面および裏面にそれぞれ密接させるので、溶融樹脂が接する内面５ａからインナーデッケル５とリップ部６との隙間に樹脂が浸入することがなくなり、樹脂漏れや浸入した樹脂による成形不能、シート状成形品Ｓの成形不良を未然に防止することができる。
【００２８】
また締結ボルト５３を締め付けるだけで、テーパー受け面５４ｔとテーパー面５２ｔの作用により加圧部５１と係合片５２とで凸条部４１を挟み付け、出力軸部２５とリップ部６の凸条部４１とを連結固定して出力軸部２５の押し引き力をリップ部６に確実に伝達することができる。また締結ボルト５３を緩めるだけで、加圧部５１と係合片５２の固定を解除して、係合片５２を角溝部４２に沿ってスライドさせることができ、可動式リップ間隔調整具２１を容易に移動させて位置調整することができる。
【００２９】
さらに可動支持体２３に設けられた出力軸部２５では、調整駆動軸３１と調整従動軸３３との間に見かけピッチ縮小機構３２を介在させたので、調整駆動軸３１の回転を十分に減速して調整従動軸３３に伝達することができ、リップ部６の微調整を容易に行うことができる。またリップ部６をインナーデッケル５に当接させる加圧力を精度良く調整することもできる。
【００３０】
なお、上記実施の形態では、調整駆動用ねじ軸である出力軸部２５に、見かけピッチ縮小機構３２を介在させて微調整可能に構成したが、出力軸部を加熱装置により加熱冷却して伸縮可能なヒートボルトにより構成してもよい。
【００３１】
また、すべてのリップ間隔調整具２１を可動式に構成したが、インナーデッケル５の内面５ａの幅調整範囲のリップ間隔調整具２１のみを可動式とし、他のリップ間隔調整具２１を固定式としても、同様の効果を奏することができる。
【００３２】
さらに、図６に示すように、可動式リップ間隔調整具２１，２１を、インナーデッケル５，５の内面５ａ，５ａ近傍でかつインナーデッケル５，５が内在する位置（イ）に位置調整したが、内面５ａ，５ａ近傍を含むインナーデッケル５，５の表面と裏面とにリップ部６，６を密接させることができればよく、（ロ）に示すように内面５ａ，５ａの対応位置や、（ハ）に示すように内面５ａ近傍の範囲内で樹脂流路側に位置ずれしていてもよい。また両側のインナーデッケル５の内面５ａ近傍の範囲で複数箇所（たとえばイとハ）に、それぞれ可動式リップ間隔調整具２１，２１を配置してもよい。
【図面の簡単な説明】
【００３３】
【図１】本発明に係る押出成形用Ｔダイの実施の形態を示し、可動式リップ間隔調整具を示す縦断面図である。
【図２】図１に示すＡ部拡大図である。
【図３】図１に示すＢ−Ｂ矢視図である。
【図４】同押出成形用Ｔダイを示す平面方向から見た半断面図である。
【図５】図４に示すＣ−Ｃ断面図である。
【図６】同可動式リップ間隔調整具の配置を示す図３の部分拡大図である。
【符号の説明】
【００３４】
１    ダイ本体
２    樹脂入口
３    マニホールド部
５    インナーデッケル
５ａ  内面
６    リップ部
６ｂ  リップ部出口
７    幅調整具
８    支持板
１１    側面板
１２    ガイドロッド
１３    調整ねじ軸
２１    可動式リップ間隔調整具
２２    ガイドレール
２３    可動支持体
２４    ボス部
２５    出力軸部
２６    加圧係合部
２７    固定ボルト
２８    カバー体
３１    調整駆動軸
３２    見かけピッチ縮小機構
３３    調整従動軸
４１    凸条部
４１ａ  受圧面
４２    角溝部
５１    加圧部
５２    係合片
５２ｂ  爪部
５２ｔ  テーパー部
５３    締付ボルト
５４    取付凹部
５４ａ  ねじ穴
５４ｔ  テーパー受け面
【図１】
0004716879.tif 000002
【図２】
0004716879.tif 000003
【図３】
0004716879.tif 000004
【図４】
0004716879.tif 000005
【図５】
0004716879.tif 000006
【図６】
0004716879.tif 000007